(57)【要約】【課題】表示装置の図柄変動に注視しながらも、ワープ入口に流入した遊技球に対する遊技者の興味を強く引きつけ、興趣を増大させることが可能で、且つ遊技球等の表示部への衝突を確実に防止できるパチンコ機を提供する。【解決手段】保護カバー部７３の下側側壁面部及び凹み部７２の上側側壁面部に対向するように該凹み部７２の左右方向全幅に渡って棚板部材８８が正面視水平に配設されている。また、この棚板部材８８の両側面部には、一対の揺動レバー８２の前側方向端縁部が固着されている。そして、駆動モータ８５を時計方向又は反時計方向に回転駆動することによって、一対の揺動レバー８２が上下方向に往復移動し、棚板部材８８を上下方向に往復移動させることできる。また、ワープ入口７５に流入した遊技球は、ワープ通路７６を通って、上側方向の上端まで移動された棚板部材８８の上面部に流出して転動する。【選択図】図５
2010234086.tif 000002
【特許請求の範囲】
【請求項１】
遊技領域に配設されて複数の変動図柄を表示する特別図柄表示装置と、前記特別図柄表示装置の下側に配設される始動口と、を備え、前記始動口への入賞情報に基づいて前記変動図柄の変動が開始されるパチンコ機において、
前記特別図柄表示装置は、表示部を有する表示装置本体と、
前記遊技領域に開設された開口部に取り付けられて前記表示装置本体が背面部に配設される正面視略枠状の装飾部材と、
上面部を遊技球が転動可能に形成されて前記装飾部材内の前記表示装置本体の前側を上下方向に往復移動可能に配設される板状の棚板部材と、
前記棚板部材を上下方向に往復移動させる移動手段と、
前記装飾部材に設けられて遊技球が流入可能なワープ入口と、
前記ワープ入口に流入した遊技球を上端位置まで上側方向に移動された前記棚板部材の上面部の正面視左右方向両端部のうちの一方の端部に流出させるように流出口が設けられたワープ通路と、
を備え、
前記棚板部材は、側断面下側方向に突出する略湾曲状に形成され、
前記棚板部材が移動手段により上下方向に移動する時、前記棚板部材の上面部は、前記棚板部材が下端位置まで下側方向に移動した場合、前記棚板部材の上面部が前側を低く後側を高く傾斜し、前記棚板部材が上端位置まで上側方向に移動した場合、前記棚板部材の上面部が前側を高く後側を低く傾斜して、
前記棚板部材の前側方向前端部には、前記棚板部材の上面部が前側を低く後側を高く傾斜した状態において前記上面部に乗っている遊技球が前記始動口の方向に落下可能となる排出部が形成され、
前記棚板部材の上面部における前記排出部の後方は、前記棚板部材の上面部が前側を高く後側を低く傾斜した状態において遊技球が正面視左右方向に転動可能に形成されることを特徴とするパチンコ機。
【発明の詳細な説明】
【技術分野】
【０００１】
本発明は、遊技領域に変動図柄を表示する特別図柄表示装置が設けられたパチンコ機に関するものである。
【背景技術】
【０００２】
従来より、遊技領域に変動図柄を表示する特別図柄表示装置が設けられたパチンコ機に関し種々提案されている。
例えば、遊技領域が形成された遊技盤に、表示状態が変化可能な変動表示装置を配設したパチンコ機において、前記変動表示装置は、表示部を有する表示装置本体と、前記表示装置本体の前面側に配設される前面構成部材と、から構成され、前記前面構成部材は、前記表示装置本体の表示部を前方に臨ませるための表示用開口部と、前記表示用開口部の周囲に形成される周囲壁部と、前記周囲壁部及び前記表示部を底部として前面開口した凹室を形成する包囲枠と、前記表示部での表示内容に関連した演出動作を行う可動演出装置と、遊技領域における当該前面構成部材の上方部を流下する遊技球が流入可能なワープ入口と、該ワープ入口より流入した遊技球を流下させるワープ通路と、該ワープ通路を流下した遊技球を前記表示部の下側に形成されたステージに流出させるワープ出口と、から構成されるワープ装置とを備え、前記可動演出装置は、前記周囲壁部の前側に配され、前記表示部での表示内容に関連して表示部方向に変位する演出動作を行う可動演出部材と、前記周囲壁部の裏面側に配され、前記可動演出部材を作動させるための電気的駆動源と、前記電気的駆動源からの駆動力を変換及び伝達して前記可動演出部材を変位動作させる駆動力伝達部材と、前記可動演出部材が前面に配される台座部と、を備え、前記台座部は中空状に形成され、その中空部内に前記駆動力伝達部材が収納され、前記ワープ通路を前記台座部の外側に沿って配設し、前記ワープ出口を該台座部の下側隣設位置に配設した構成のパチンコ機が提案されている（例えば、特許文献１参照。）。
【先行技術文献】
【特許文献】
【０００３】
【特許文献１】特開２００４−１０５５１３号公報（段落（００２７）〜（０１０７）、図１〜図１１）
【発明の概要】
【発明が解決しようとする課題】
【０００４】
上述したパチンコ機では、ワープ通路を台座部の外側に沿って配設したので、ワープ装置を備える場合でも、その配置スペースの問題を解消できる。また、ワープ出口から流出した遊技球が可動演出部材に衝突してしまうと、演出動作に支障を来すばかりか、可動演出装置の故障の原因にもなるが、台座部を設けるとともに、該台座部の下側隣設位置にワープ出口を配設したことにより、ワープ出口から流出する遊技球と可動演出部材との前後方向の位置を異ならせることができ、遊技球の可動演出部材への衝突を防止できる。
しかしながら、上記従来のパチンコ機においては、ワープ入口に流入した遊技球は、ワ−プ通路を流下して表示部の下側に形成されたステージに流出するものであるため、ワープ入口に流入した遊技球は、このステージ上での遊技球の転動を楽しむだけのものであり、遊技者の興味を強く引きつけるものではなく、興趣を損なうという問題がある。また、通常遊技中においては、遊技者は可動演出部材の演出動作や表示部に表示される変動図柄の表示演出に注視しているため、台座部の外側に沿って配設されたワープ通路内の遊技球を注視することがなく、遊技者の興趣を高める効果が小さいという問題がある。
【０００５】
そこで、本発明は、上述した問題点を解決するためになされたものであり、特別図柄表示装置に表示部の前面側を上下方向に往復移動可能に配設される棚板部材を設け、ワープ入口に流入した遊技球が該棚板部材の上面に流入するように構成することによって、表示部に表示される変動図柄の表示演出に注視しながらも、下側方向に移動する棚板部材上での遊技球の転動を楽しむことができ、ワープ入口に流入した遊技球に対する遊技者の興味を強く引きつけ、興趣を増大させることが可能なパチンコ機を提供することを目的とする。
【課題を解決するための手段】
【０００６】
前記目的を達成するため請求項１に係るパチンコ機は、遊技領域に配設されて複数の変動図柄を表示する特別図柄表示装置と、前記特別図柄表示装置の下側に配設される始動口と、を備え、前記始動口への入賞情報に基づいて前記変動図柄の変動が開始されるパチンコ機において、前記特別図柄表示装置は、表示部を有する表示装置本体と、前記遊技領域に開設された開口部に取り付けられて前記表示装置本体が背面部に配設される正面視略枠状の装飾部材と、上面部を遊技球が転動可能に形成されて前記装飾部材内の前記表示装置本体の前側を上下方向に往復移動可能に配設される板状の棚板部材と、前記棚板部材を上下方向に往復移動させる移動手段と、前記装飾部材に設けられて遊技球が流入可能なワープ入口と、前記ワープ入口に流入した遊技球を上端位置まで上側方向に移動された前記棚板部材の上面部の正面視左右方向両端部のうちの一方の端部に流出させるように流出口が設けられたワープ通路と、を備え、前記棚板部材は、側断面下側方向に突出する略湾曲状に形成され、前記棚板部材が移動手段により上下方向に移動する時、前記棚板部材の上面部は、前記棚板部材が下端位置まで下側方向に移動した場合、前記棚板部材の上面部が前側を低く後側を高く傾斜し、前記棚板部材が上端位置まで上側方向に移動した場合、前記棚板部材の上面部が前側を高く後側を低く傾斜して、前記棚板部材の前側方向前端部には、前記棚板部材の上面部が前側を低く後側を高く傾斜した状態において前記上面部に乗っている遊技球が前記始動口の方向に落下可能となる排出部が形成され、前記棚板部材の上面部における前記排出部の後方は、前記棚板部材の上面部が前側を高く後側を低く傾斜した状態において遊技球が正面視左右方向に転動可能に形成されることを特徴とする。
【発明の効果】
【０００７】
請求項１に係るパチンコ機では、遊技領域に配設されて複数の変動図柄を表示する特別図柄表示装置は、遊技領域に開設された開口部に取り付けられる正面視略枠状の装飾部材と、この装飾部材の背面部に配設される表示装置本体とから構成されている。また、上面部を遊技球が転動可能に形成されて装飾部材内の前記表示装置本体の前側を上下方向に往復移動可能に配設される板状の棚板部材が設けられている。また、この棚板部材を上下方向に往復移動させる移動手段が設けられている。そして、装飾部材にはワープ入口が設けられ、ワープ入口に流入した遊技球は、ワープ通路を通過して、上端位置まで上側方向に移動された棚板部材の上面部の正面視左右方向両端部のうちの一方の端部に流出し、この棚板部材上を転動する。また、この棚板部材が下端位置まで下側方向に移動した場合には、棚板部材の上面部に乗っている遊技球が、排出部から特別図柄表示装置の下側に配設された始動口の方向に落下可能となる。
これにより、特別図柄表示装置のワープ入口に流入した遊技球を、表示装置本体の前側を上端位置まで移動させた棚板部材の上面部に流出させることによって、表示部に表示される変動図柄の表示演出に注視しながらも、下側方向に移動する棚板部材上での遊技球の転動を楽しむことができ、ワープ入口に流入した遊技球に対する遊技者の興味を強く引きつけ、興趣を増大させることが可能となる。また、この棚板部材が表示部の前側を下端位置まで下側方向に移動された場合には、上面部に乗っている遊技球が棚板部材の排出部から特別図柄表示装置の下側に配設された始動口の方向に落下可能となるため、変動図柄の変動開始に対する遊技者の期待感を高めることが可能となり、遊技者の興味をより強く引きつけ、興趣を増大させることが可能となる。
【図面の簡単な説明】
【０００８】
【図１】本実施例に係るパチンコ機全体を示した正面図である。
【図２】本実施例に係るパチンコ機の遊技盤の遊技領域を示した正面図である。
【図３】本実施例に係るパチンコ機の全体を示した背面図である。
【図４】本実施例に係るパチンコ機の特別図柄表示装置を示した正面図である。
【図５】本実施例に係るパチンコ機の特別図柄表示装置を示した側断面図である。
【図６】本実施例に係るパチンコ機の駆動制御に係る制御システムの構成を示すブロック図である。
【図７】本実施例に係るパチンコ機の「棚板部材の駆動制御処理」を示すメインフローチャートである。
【図８】本実施例に係るパチンコ機の「開閉部材の開閉駆動処理」のサブ処理を示すサブフローチャートである。
【図９】本実施例に係るパチンコ機の「棚板部材の往復移動処理」のサブ処理を示すサブフローチャートである。
【図１０】本実施例に係るパチンコ機の特別図柄表示装置のワープ通路から棚板部材上に遊技球が流出した状態の一例を模式的に示す正面図である。
【図１１】本実施例に係るパチンコ機の特別図柄表示装置のワープ通路から棚板部材上に遊技球が流出した状態の一例を模式的に示す斜視図である。
【図１２】本実施例に係るパチンコ機の特別図柄表示装置の棚板部材が下端位置まで移動して停止した状態の一例を模式的に示す正面図である。
【図１３】本実施例に係るパチンコ機の特別図柄表示装置の棚板部材が下端位置まで移動して停止した状態の一例を模式的に示す斜視図である。
【図１４】本実施例に係るパチンコ機の特別図柄表示装置の棚板部材が下端位置まで移動して停止した状態の一例を模式的に示す側断面図である。
【発明を実施するための形態】
【０００９】
以下、本発明に係るパチンコ機を具体化した一実施例を図面を参照して詳細に説明する。
【実施例１】
【００１０】
先ず、本実施例に係るパチンコ機の概略構成について図１乃至図５に基づき説明する。
図１乃至図３に示すように、本実施例に係るパチンコ機１は、所定量のパチンコ球を賞球として払い出す、いわゆる第１種パチンコ機で、一般にＣＲ機（カードリーディング機）と称され、カード式球貸機とパチンコ機１とによって構成され、これらは対をなして設置されるが、図１及び図３においては、カード式球貸機の図示を省略している。パチンコ機１は、木製の外枠２１に対して合成樹脂製の前枠３が、前枠取付用ヒンジを構成する上ヒンジ３Ａ及び下ヒンジ３Ｂを介して外枠２１に対して開閉自在に取り付けられている。そして、この前枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して遊技盤２上の遊技領域１１を見ることができるように構成されている。また、前面カバー部材４の窓部５の上端縁部には、フルカラーの発光ダイオードが内蔵され、遊技中のエラーを表示するエラー表示電飾ランプ６Ａが取付けられている。また、このエラー表示電飾ランプ６Ａの左右外側には、「当たり」等の発生を報知したり遊技中に光演出をする各電飾ランプ６Ｂが取付けられている。また、前面カバー部材４の前面部分は、不透明な合成樹脂製の前面部材４Ａで覆われており、この各電飾ランプ６Ａ、６Ｂと窓部５の上端周縁部との間に、不図示のフルカラーダイオードが左右方向に内蔵され、遊技中に光演出が行われる。
【００１１】
また、前面カバー部材４の右側中央部には、前枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
また、この前面カバー部材４の下側には、賞球ケース５２を介して払い出される賞球を受ける上皿７がスピーカ７Ａを内蔵して合成樹脂製プレート８に配設されている。また、このプレート８は、左端縁部の上下を軸支されて、前面カバー部材４を開放後、内側に設けられた不図示のレバーを下げることにより開放できるように取付けられている。また、この上皿７の中央前面部には、カード式球貸機の操作ボタン７Ｂ、７Ｃ及びカード残高表示装置７Ｄが設けられている。そして、その上皿７の下には、下皿９が配設される。また、上皿７に連通する不図示の球送り機構を介して上皿７のパチンコ球が操作ハンドル１０に連結された発射装置１０Ａへ送られるよう構成されている。
【００１２】
次に、図２において、パチンコ機１における遊技盤２上の遊技領域の構成について説明する。この遊技領域１１は、所定厚さの板材をなした遊技盤２上に入賞口などの各構造物が配設され、それを囲むように環状のレール１２が立設されて構成されている。このレール１２は、発射されたパチンコ球を遊技領域１１内に案内する重複して形成した案内路１３を構成し、右肩部にはレール１２に沿って打ち込まれるパチンコ球の進行を制限するための段差部１４を有する。
遊技領域１１のほぼ中央には、開口部が開設され、この開口部の前面側に後述の特別図柄表示装置１８が配設されている（図４、図５参照）。この特別図柄表示装置１８は、遊技盤２の前面側から取り付けられる枠状の周囲壁部１７と、遊技盤２の裏面側から取り付けられる液晶表示器（ＬＣＤ）１９等から構成されている。この液晶表示器１９は、左、中、右に３つの変動図柄を表示する液晶パネルであって、左下角部には、左右に２分割された普通図柄を表示する普通図柄表示部２０が構成されている。
【００１３】
一方、特別図柄表示装置１８の左右には各ゲート２３、２４が配設されている。また、各ゲート２３、２４と特別図柄表示装置１８の間には通常の風車２５、２６が設けられ、特別図柄表示装置１８の両肩側には各電飾ランプ２７Ａ、２８Ａが内蔵される風車２７、２８が設けられている。また、各ゲート２３、２４の外側には、各電飾ランプ２９Ａ、３０Ａが内蔵される肩電飾部材２９、３０が配置されている。
また、特別図柄表示装置１８の直下には、前面に蛇のキャラクタが描かれた始動口３１が配設されている。この始動口３１には、パチンコ球の入賞を検出する始動口スイッチ３１Ｂ（図６参照）が設けられ、パチンコ球の入賞を検出することで液晶表示器１９に表示されている特別図柄が変動する。そして、特別図柄が変動中に始動口３１に入賞した場合には、入賞個数が４個まで後述の主基板４６（図３参照）に設けられるＲＡＭに記憶されて変動確定回数として保留される。
【００１４】
また、各ゲート２３、２４にはパチンコ球の通過を検出するゲートスイッチ（不図示）が備えられており、パチンコ球の通過を検出することで普通図柄表示部２０の普通図柄が変動する。そして、このゲート２３又はゲート２４にパチンコ球が入って、普通図柄表示部２０の普通図柄が変動後、所定の表示態様で停止した場合（例えば、「１１」、「７７」のように揃った場合等）には、始動口３１の上部に設けられるチューリップ式役物３１Ａが所定時間（本実施例では、約１秒間）開かれ、この始動口３１にパチンコ球が入賞する確率が増加する。また、普通図柄が変動中に各ゲート２３、２４をパチンコ球が通過した場合には、通過個数が４個まで主基板４６（図３参照）に設けられるＲＡＭに記憶されて変動確定回数として保留される。
【００１５】
そして、始動口３１の下側には、横幅が広い上方に開口する開閉扉３９で前面部を覆われる大入賞口４０が形成された特別入賞装置４１が配設されている。また、この大入賞口４０の左右両側には上方に開口する各入賞口４２、４３が前面側に突出して形成されている。また、各入賞口４２、４３の下側には、各電飾ランプ４２Ａ、４３Ａが内蔵されている。
また、この特別入賞装置４１の両側上方には各電飾ランプ４４Ａ、４５Ａが内蔵された下入賞口４４、４５が配設されて遊技盤２裏面の不図示の賞球樋に連通され、この下入賞口４４、４５への入賞を検出する下入賞口スイッチ（不図示）が設けられている。また、特別入賞装置４１の直下にはレール１２に沿ってアウト口１５が開設されている。更に、レール１２に囲まれたこのような遊技領域１１には、前記各構成物とともに複数の釘が打設されてパチンコ球の複雑な流路を構成している。
【００１６】
また、図３に示すように、パチンコ機１の裏側最上段には、上方に開口した賞球タンク５０が機構セット盤５１に固定されている。賞球タンク５０は、傾斜した底面に連通孔が形成され、その連通孔の下方にはパチンコ球を２列に整列流出し、賞球ケース５２にパチンコ球を送る通路を形成するタンクレール５３が取付けられている。
また、タンクレール５３の下側には液晶表示器（ＬＣＤ）１９等をカバーする樹脂製のセンターカバー５４が取付けられている。そして、このセンターカバー５４の背面部内側には、スピーカ７Ａを駆動制御する音制御基板６４、各電飾ランプ６Ａ、６Ｂ等を駆動制御するランプ制御基板６５、及びＬＣＤ１９等を駆動制御する表示制御基板６６が取り付けられている。また、センターカバー５４の下側には、パチンコ機１の遊技動作を制御する主基板４６が内蔵される基板ケース５５が配設されている。また、基板ケース５５の下方には、上皿７から溢れた賞球を受けて下皿９に案内する下部受皿ボックス５６がボルトにより前枠３の裏側に取り付けられている。
【００１７】
次に、特別図柄表示装置１８の構成について図４及び図５に基づいて説明する。
図４及び図５に示すように、特別図柄表示装置１８は、枠状の周囲壁部１７の内周面から裏側方向に突出して底面部に液晶表示器１９が取り付けられる表示用開口部７１が開設された箱体状の凹み部７２が形成されている。また、この周囲壁部１７の上枠部分の左右方向全長に渡って前面側に突出して形成された保護カバー部７３が設けられている。そして、この保護カバー部７３には、左右方向中央部の上面部にワープ入口７５が設けられている。また、この保護カバー部７３内には、ワープ入口７５に流入した遊技球を該保護カバー部７３の左右端縁部の一方の内側側壁面部（本実施例では、保護カバー部７３の正面視左側の内側側壁面部）から流出させるワープ通路７６が設けられている。
また、このワープ入口７５の入口端縁部には、該ワープ入口７５を閉塞する開閉部材７７が前後方向に移動可能に設けられている。また、この開閉部材７７は、裏側端面部に接続される入口ソレノイド７８及びコイルバネ７９によって、通常時、即ち入口ソレノイド７８がＯＦＦの場合には、コイルバネ７９によって前側方向に押し出されてワープ入口７５を閉塞するように構成されている。一方、この開閉部材７７は、入口ソレノイド７８がＯＮの場合には、コイルバネ７９の付勢力に抗して裏側方向に移動してワープ入口７５を開放し、遊技球がワープ入口７５に流入可能になるように構成されている。
また、この開閉部材７７の直下にはワープ入口７５に流入した遊技球を検出する検出センサ８１が配置されている。
【００１８】
また、凹み部７２の底面部に開設される表示用開口部７１の正面視両側端縁部と液晶表示器１９の両側面部との間には、所定幅の一対の隙間７２Ａ、７２Ｂが形成され、裏側から一対の揺動レバー８２が上下方向に揺動可能に挿入されている。また、この一対の揺動レバー８２の各裏側方向端縁部は、回転可能に軸支されている回転軸８３によって連結されている。また、この回転軸８３の一端部にはギヤ８４が固着され、ポテンショメータやアブソリュート型ロータリーエンコーダを備えたステッピングモータ等によって構成される駆動モータ８５のモータ軸８５Ａに固着されるギヤ８６に歯合している。
また、保護カバー部７３の下側側壁面部及び凹み部７２の上側側壁面部に対向するように該凹み部７２の左右方向全幅に渡って棚板部材８８が正面視水平に配設されている。また、この棚板部材８８の両側面部の裏側方向端縁部には、上記一対の揺動レバー８２の前側方向端縁部が固着されている。これにより、駆動モータ８５を時計方向又は反時計方向に回転駆動することによって、各隙間７２Ａ、７２Ｂに沿って一対の揺動レバー８２が上下方向に往復移動し、この棚板部材８８を各隙間７２Ａ、７２Ｂに沿って上下方向（図５中、矢印Ａ方向）に往復移動させることできる。
【００１９】
また、棚板部材８８は、上側方向の上端まで移動された場合には、該棚板部材８８の上面部がワープ通路７６の流出口の近傍に位置し、該ワープ通路７６から流出した遊技球がこの上面部で転動するように構成されている。また、この棚板部材８８は、側断面下側方向に突出する略湾曲状に形成されると共に、前側方向側端縁部は略直角上側方向に所定高さ（例えば、約４ｍｍ〜６ｍｍの高さである。）延出される転がり止め部８９が設けられている。また、棚板部材８８は、前側側端縁部の左右方向略中央位置及び左右端縁部の近傍位置の３カ所に遊技球が通過可能な各貫通孔８８Ａ〜８８Ｃが穿設されている。
また、液晶表示器１９の前面部には、透明な保護カバー９０が配設され、遊技球の衝突による液晶表示器１９の損傷が防止されている。また、凹み部７２の下側側壁部７４は、外側下方向に傾斜して設けられているため、該凹み部７２に転動落下した遊技球を確実に外側方向に転動落下させることができる。
【００２０】
次に、上記のように構成されたパチンコ機１の駆動制御に係る制御システムの構成について図６に基づいて説明する。
図６に示すように、パチンコ機１の駆動制御に係る制御システムは、主基板４６、音制御基板６４、ランプ制御基板６５、及び表示制御基板６６等から構成されている。
主基板４６は、ＣＰＵ４６１、ＲＯＭ４６２、ＲＡＭ４６３、及び入出力回路（Ｉ／Ｏ）４６４等から構成され、このＣＰＵ４６１、ＲＯＭ４６２、ＲＡＭ４６３、及び入出力回路（Ｉ／Ｏ）４６４は、バス線により相互に接続されている。また、ＣＰＵ４６１にはクロック回路４６０が接続されて所定のクロック信号が入力される。また、入出力回路（Ｉ／Ｏ）４６４には、始動口３１への入賞を検出する始動口スイッチ３１Ｂ、検出センサ８１、開閉扉３９を開閉する開閉扉ソレノイド３９Ａ、入口ソレノイド７８、駆動モータ８５、図示しない各下入賞口スイッチ、各入賞口スイッチ、大入賞口スイッチ、Ｖスイッチ等が接続されている。そして、ＣＰＵ４６１は、ＲＯＭ４６２に格納される後述の制御プログラム等に基づいて開閉扉ソレノイド３９Ａ、入口ソレノイド７８、駆動モータ８５等の駆動制御を行う。
【００２１】
また、音制御基板６４には、ＣＰＵ６４１、スピーカ７Ａ等の駆動制御プログラム等を格納するＲＯＭ６４２、主基板４６からの各種制御信号を格納するＲＡＭ６４３、及び主基板４６から送出される各種制御信号を受信する入出力回路（Ｉ／Ｏ）６４４等が配設されている。そして、このＣＰＵ６４１、ＲＯＭ６４２、ＲＡＭ６４３、及び入出力回路（Ｉ／Ｏ）６４４は、バス線により相互に接続されている。また、ＣＰＵ６４１にはクロック回路６４０が接続されて所定のクロック信号が入力される。また、入出力回路（Ｉ／Ｏ）６４４には、主基板４６の入出力回路（Ｉ／Ｏ）４６４が接続されている。また、この入出力回路（Ｉ／Ｏ）６４４には、スピーカ７Ａ等が接続されている。そして、ＣＰＵ６４１は、主基板４６から入力される各種制御信号に基づいて、スピーカ７Ａの駆動制御を行う。
【００２２】
また、ランプ制御基板６５には、ＣＰＵ６５１、各電飾ランプ６Ａ、６Ｂ等の駆動制御プログラム等を格納するＲＯＭ６５２、主基板４６からの各種制御信号を格納するＲＡＭ６５３、及び主基板４６から送出される各種制御信号を受信する入出力回路（Ｉ／Ｏ）６５４等が配設されている。そして、このＣＰＵ６５１、ＲＯＭ６５２、ＲＡＭ６５３、及び入出力回路（Ｉ／Ｏ）６５４は、バス線により相互に接続されている。また、ＣＰＵ６５１にはクロック回路６５０が接続されて所定のクロック信号が入力される。また、入出力回路（Ｉ／Ｏ）６５４には、主基板４６の入出力回路（Ｉ／Ｏ）４６４が接続されている。また、この入出力回路（Ｉ／Ｏ）６５４には、各電飾ランプ６Ａ、６Ｂ等が接続されている。そして、ＣＰＵ６５１は、主基板４６から入力される各種制御信号に基づいて、各電飾ランプ６Ａ、６Ｂ等の駆動制御を行う。
【００２３】
また、表示制御基板６６には、ＣＰＵ６６１、表示制御プログラムや所要の表示データを格納するＲＯＭ６６２、表示指令、表示情報、入出力信号等を格納するＲＡＭ６６３、主基板４６から送出される各種制御信号を受信する入出力回路（Ｉ／Ｏ）６６４、及びＣＰＵ６６１から送られた表示情報を受けて液晶表示器（ＬＣＤ）１９に対して画像を加工して表示するＶＤＰ（Ｖｉｄｅｏ  Ｄｉｓｐｌａｙ  Ｐｒｏｃｅｓｓｏｒ）６６５等が配設されている。そして、このＣＰＵ６６１、ＲＯＭ６６２、ＲＡＭ６６３、入出力回路（Ｉ／Ｏ）６６４、及びＶＤＰ（Ｖｉｄｅｏ  Ｄｉｓｐｌａｙ  Ｐｒｏｃｅｓｓｏｒ）６６５は、バス線により相互に接続されている。また、ＣＰＵ６６１にはクロック回路６６０が接続されて所定のクロック信号が入力される。そして、ＣＰＵ６６１は、主基板４６から入力される表示パターン情報等の各種制御信号に基づいて、液晶表示器１９に所定の演出表示を行う。
【００２４】
次に、このように構成された主基板４６による開閉部材７７や棚板部材８８を駆動制御する「棚板部材の駆動制御処理」について図７乃至図１４に基づいて説明する。尚、この「棚板部材の駆動制御処理」は、ＣＰＵ４６１によって繰り返し実行されるものである。
図７に示すように、先ず、ステップ（以下、Ｓという）１において、ＣＰＵ４６１は、棚板部材８８が上端位置まで移動されているか否かを判定する判定処理を実行する。具体的には、ＣＰＵ４６１は、駆動モータ８５に備えられたポテンショメータやアブソリュート型ロータリーエンコーダ等の出力信号に基づいて棚板部材８８の上下方向の位置を算出して、棚板部材８８が上端位置まで移動されているか否かを判定する。
そして、棚板部材８８が上端位置まで移動されていない場合には（Ｓ１：ＮＯ）、Ｓ２において、ＣＰＵ４６１は、駆動モータ８５に備えられたポテンショメータやアブソリュート型ロータリーエンコーダ等の出力信号に基づいて該駆動モータ８５を回転駆動して棚板部材８８を上端位置まで移動し、停止させる。
一方、棚板部材８８が上端位置に移動して停止している場合には（Ｓ１：ＹＥＳ）、ＣＰＵ４６１は、駆動モータ８５を回転駆動しないで、棚板部材８８が上端位置に停止した状態を維持する。
【００２５】
続いて、Ｓ３において、ＣＰＵ４６１は、ＲＡＭ４６３から棚板フラグを読み出し、この棚板フラグがＯＮか否か、即ちこの棚板フラグが「１」か否かを判定する判定処理を実行する。尚、この棚板フラグは、起動時に初期化され、即ち「０」が代入されて、ＲＡＭ４６３に記憶されている。
そして、ＲＡＭ４６３から読み出した棚板フラグがＯＮでない場合には（Ｓ３：ＮＯ）、Ｓ４において、ＣＰＵ４６１は、開閉部材７７を所定パターンで前後方向に往復移動させる「開閉部材の開閉駆動処理」のサブ処理（図８参照）を実行後、当該処理を終了する。
一方、ＲＡＭ４６３から読み出した棚板フラグがＯＮの場合には（Ｓ３：ＹＥＳ）、Ｓ５において、ＣＰＵ４６１は、棚板部材８８を所定パターンで上下方向に往復移動させる「棚板部材の往復移動処理」のサブ処理（図９参照）を実行後、当該処理を終了する。
【００２６】
次に、「開閉部材の開閉駆動処理」のサブ処理について図８に基づいて説明する。
図８に示すように、先ず、Ｓ１１において、ＣＰＵ４６１は、入口ソレノイド７８をＯＦＦにしてコイルバネ７９の付勢力により開閉部材７７を前側方向に移動させ、ワープ入口７５を該開閉部材７７で閉塞する。尚、起動時には、入口ソレノイド７８はＯＦＦになっている。
また、Ｓ１２において、ＣＰＵ４１は、ＲＯＭ４６２からワープ入口７５の開閉パターンである所定の第１パターンデータを読み出して、該ワープ入口７５の閉塞時間Ｔ１をＲＡＭ４６３に記憶し、該閉塞時間Ｔ１が経過するのを待つ（Ｓ１２：ＮＯ）。
尚、この所定の第１パターンデータとして、ワープ入口７５の閉塞時間Ｔ１（例えば、約１０秒〜約５０秒で、望ましくは約２５秒である。）と、ワープ入口７５の開放時間Ｔ２（例えば、約２秒〜約１０秒で、望ましくは約５秒である。）とがＲＯＭ４６２に予め記憶されている。
【００２７】
そして、ワープ入口７５の閉塞時間Ｔ１が経過した場合には（Ｓ１２：ＹＥＳ）、Ｓ１３において、ＣＰＵ４６１は、入口ソレノイド７８をＯＮにして開閉部材７７を裏側方向に移動させ、ワープ入口７５を開放する。これにより、ワープ入口７５に遊技球が流入可能となる。
また、Ｓ１４において、ＣＰＵ４１は、ＲＯＭ４６２からワープ入口７５の開閉パターンである所定の第１パターンデータを読み出して、該ワープ入口７５の開放時間Ｔ２をＲＡＭ４６３に記憶し、ワープ入口７５を開放してから該開放時間Ｔ２が経過したか否かを判定する判定処理を実行する。そして、ワープ入口７５を開放してから開放時間Ｔ２が経過していない場合には（Ｓ１４：ＮＯ）、Ｓ１５において、ＣＰＵ４６１は、ワープ入口７５に遊技球が流入したか否か、即ち、検出センサ８１から遊技球の検出信号が入力されたか否かを判定する判定処理を実行する。
【００２８】
そしてまた、Ｓ１５で検出センサ８１から遊技球の検出信号が入力されなかった場合には（Ｓ１５：ＮＯ）、ＣＰＵ４６１は、再度Ｓ１４以降の処理を実行する。
一方、Ｓ１５で検出センサ８１から遊技球の検出信号が入力された場合には（Ｓ１５：ＹＥＳ）、Ｓ１６において、ＣＰＵ４６１は、ＲＡＭ４６３から棚板フラグを読み出し、該棚板フラグをＯＮにし、即ち該棚板フラグに「１」を代入して、再度ＲＡＭ４６３に記憶する。
続いて、Ｓ１７において、ＣＰＵ４６１は、入口ソレノイド７８をＯＦＦにしてコイルバネ７９の付勢力により開閉部材７７を前側方向に移動させ、ワープ入口７５を該開閉部材７７で閉塞後、当該サブ処理を終了してメインフローチャートに戻る。
他方、Ｓ１４でワープ入口７５を開放してから開放時間Ｔ２が経過した場合には（Ｓ１４：ＹＥＳ）、Ｓ１８において、ＣＰＵ４６１は、ＲＡＭ４６３から棚板フラグを読み出し、該棚板フラグをＯＦＦにし、即ち該棚板フラグに「０」を代入して、再度ＲＡＭ４６３に記憶する。そして、Ｓ１７において、ＣＰＵ４６１は、入口ソレノイド７８をＯＦＦにしてコイルバネ７９の付勢力により開閉部材７７を前側方向に移動させ、ワープ入口７５を該開閉部材７７で閉塞後、当該サブ処理を終了してメインフローチャートに戻る。
【００２９】
次に、「棚板部材の往復移動処理」のサブ処理について図９乃至図１４に基づいて説明する。
図９に示すように、先ず、Ｓ２１において、ＣＰＵ４６１は、ＲＯＭ４６２から棚板部材８８の往復移動パターンである所定の第２パターンデータを読み出して、該棚板部材８８の上端での待ち時間である上停止時間Ｔ３をＲＡＭ４６３に記憶し、該上停止時間Ｔ３が経過するのを待つ（Ｓ２１：ＮＯ）。
例えば、図１０及び図１１に示すように、棚板部材８８は、上端位置で上停止時間Ｔ３の間停止しているため、ワープ通路７６から棚板部材８８の上面部に流出した遊技球Ｐは、この棚板部材８８上を左右方向に転動する。
尚、この所定の第２パターンデータとして、棚板部材８８の上端位置での待ち時間を表す上停止時間Ｔ３（例えば、約２秒〜５秒で、望ましくは約３秒である。）と、棚板部材８８を下端位置まで移動させる駆動モータ８５の回転速度Ｖ１（例えば、棚板部材８８を上端位置から下端位置まで約４秒〜８秒、望ましくは約５秒で移動させる回転速度である。）と、棚板部材８８の下端位置での待ち時間を表す下停止時間Ｔ４（例えば、約１秒〜５秒で、望ましくは約２秒である。）と、棚板部材８８を上端位置まで移動させる駆動モータ８５の回転速度Ｖ２（例えば、棚板部材８８を下端位置から上端位置まで約４秒〜８秒、望ましくは約５秒で移動させる回転速度である。）とがＲＯＭ４６２に予め記憶されている。
【００３０】
また、棚板部材８８の上停止時間Ｔ３が経過した場合には（Ｓ２１：ＹＥＳ）、Ｓ２２において、ＣＰＵ４６１は、再度ＲＯＭ４６２から所定の第２パターンデータを読み出して、該棚板部材８８を下端位置まで移動させる駆動モータ８５の回転速度Ｖ１をＲＡＭ４６３に記憶し、該回転速度Ｖ１で駆動モータ８５を所定方向に回転駆動して棚板部材８８の下側方向への移動を開始する。
そしてまた、Ｓ２３において、ＣＰＵ４６１は、駆動モータ８５に備えられるポテンションメータやアブソリュート型ロータリーエンコーダ等の出力信号に基づいて、棚板部材８８が下端位置まで移動するのを待つ（Ｓ２３：ＮＯ）。
一方、棚板部材８８が下端位置まで移動した場合には（Ｓ２３：ＹＥＳ）、Ｓ２４において、ＣＰＵ４６１は、駆動モータ８５をＯＦＦにし、棚板部材８８を下端位置で停止させる。
【００３１】
続いて、Ｓ２５において、ＣＰＵ４６１は、再度ＲＯＭ４６２から所定の第２パターンデータを読み出して、棚板部材８８の下端での待ち時間である下停止時間Ｔ４をＲＡＭ４６３に記憶し、該下停止時間Ｔ４が経過するのを待つ（Ｓ２５：ＮＯ）。即ち、ＣＰＵ４６１は、棚板部材８８上を左右方向に転動している遊技球Ｐが各貫通孔８８Ａ〜８８Ｃのうちのいずれかにランダムに流入して、下側方向に落下するのを待つ。
例えば、図１２乃至図１４に示すように、棚板部材８８は、下端位置で下停止時間Ｔ４の間停止すると共に、棚板部材８８の上面部のうちの各貫通孔８８Ａ〜８８Ｃが配置される前側側端縁部の上面部が最も低くなると共に略水平になるため、棚板部材８８上の遊技球Ｐは、左右方向に転動しつつ該各貫通孔８８Ａ〜８８Ｃが配置される前側側端縁部の上面部方向に転動して、左右方向中央部に位置する貫通孔８８Ａに流入し、始動口３１方向に落下している。
【００３２】
また、棚板部材８８の下停止時間Ｔ４が経過した場合には（Ｓ２５：ＹＥＳ）、Ｓ２６において、ＣＰＵ４６１は、再度ＲＯＭ４６２から所定の第２パターンデータを読み出して、該棚板部材８８を上端位置まで移動させる駆動モータ８５の回転速度Ｖ２をＲＡＭ４６３に記憶し、該回転速度Ｖ２で駆動モータ８５を上記所定方向と反対の方向に回転駆動して棚板部材８８の上側方向への移動を開始する。
そしてまた、Ｓ２７において、ＣＰＵ４６１は、駆動モータ８５に備えられるポテンションメータやアブソリュート型ロータリーエンコーダ等の出力信号に基づいて、棚板部材８８が上端位置まで移動するのを待つ（Ｓ２７：ＮＯ）。
一方、棚板部材８８が上端位置まで移動した場合には（Ｓ２７：ＹＥＳ）、Ｓ２８において、ＣＰＵ４６１は、駆動モータ８５をＯＦＦにし、棚板部材８８を上端位置で停止させる。
続いて、Ｓ２９において、ＣＰＵ４６１は、ＲＡＭ４６３から棚板フラグを読み出し、該棚板フラグをＯＦＦにし、即ち棚板フラグに「０」を代入して、再度ＲＡＭ４６３に記憶後、当該サブ処理を終了してメインフローチャートに戻る。
【００３３】
ここで、液晶表示器１９は、表示装置本体として機能する。また、各揺動レバー８２、回転軸８３、各ギヤ８４、８６及び駆動モータ８５は、移動手段を構成する。また、開閉部材７７、入口ソレノイド７８及びコイルバネ７９は、開閉部材を構成する。また、貫通孔８８Ａは、排出部として機能する。また、検出センサ８１は、検出手段として機能する。また、ＣＰＵ４６１、ＲＯＭ４６２及びＲＡＭ４６３は、第１制御手段及び第２制御手段を構成する。
【００３４】
従って、本実施例に係るパチンコ機１では、特別図柄表示装置１８のワープ入口７５に流入した遊技球が上下方向に往復移動可能に配設される棚板部材８８の上面に流出するため、下側方向に移動する棚板部材８８上での遊技球の転動を楽しむことができ、ワープ入口７５に流入した遊技球に対する遊技者の興味を強く引きつけ、興趣を増大させることが可能となる。また、この棚板部材８８が凹み部７２内を下側方向に移動した場合には、上面部に乗っている遊技球が棚板部材８８の各貫通孔８８Ａ〜８８Ｃのいずれかにランダムに流入して下側方向に落下し、貫通孔８８Ａに流入した場合には、特別図柄表示装置１８の下側に配設された始動口３１に入賞する確率が高いため、液晶表示器１９の変動図柄の変動開始に対する遊技者の期待感を高めることが可能となり、更に遊技者の興味を強く引きつけ、興趣を増大させることが可能となる。また、下側方向に移動する棚板部材８８上での遊技球の転動を確実に楽しむことができ、ワープ入口７５に流入した遊技球に対する遊技者の興味をより強く引きつけ、興趣を増大させることが可能となる。
また、検出センサ８１で遊技球の通過を検出した場合には、開閉部材７７によってワープ入口７５が閉塞されるため、ワープ入口７５に流入して棚板部材８８上に流出する遊技球を１個程度にすることが可能となり、該棚板部材８８上の遊技球の転動速度を維持することができ、遊技者は下側方向に移動する棚板部材８８上での遊技球の転動をより楽しむことができる。
また、通常時には、棚板部材８８は上端位置に移動されて停止されているため、遊技者は液晶表示器１９に表示される変動図柄を容易に視認できると共に、棚板部材８８上に遊技球が流出して転動している場合には、この棚板部材８８が下側方向に移動されて、遊技球が始動口３１の方向に落下可能となるため、斬新な遊技球の流下態様を提供することができる。
また、特別図柄表示装置１８の凹み部７２の下側側壁部７４は、外側下方向に傾斜して設けられているため、この凹み部７２内に転動落下した遊技球を遊技領域１１へ確実に排出することができ、棚板部材８８の下端位置への移動を確実に行うことが可能となる。
更に、液晶表示器１９の前面側には、透明な保護カバー９０が配設されているため、棚板部材８８やこの棚板部材８８上を転動する遊技球の液晶表示器１９への衝突を防止し、液晶表示器１９等の破損、故障を防ぐことができ、特別図柄表示装置１８の信頼性の向上を図ることができる。
【００３５】
尚、本発明は、上記実施例に限定されるものではなく、本発明の要旨を逸脱しない範囲内で種々の改良、変形が可能であることは勿論である。例えば、以下のようにしてもよい。
【実施例２】
【００３６】
（Ａ）上記実施例では、ワープ入口７５の閉塞時間Ｔ１（例えば、約１０秒〜約５０秒で、望ましくは約２５秒である。）は、ワープ入口７５の開放時間Ｔ２（例えば、約２秒〜約１０秒で、望ましくは約５秒である。）よりも長くなるように設定しているが、この閉塞時間Ｔ１と開放時間Ｔ２とをほぼ同じ時間にしてもよい。例えば、閉塞時間Ｔ１と開放時間Ｔ２は、約３秒〜５秒でほぼ同じ時間にしてもよい。これにより、ワープ入口７５に遊技球の流入する確率が高くなるため、遊技者の興趣をより増大させることができる。
【実施例３】
【００３７】
（Ｂ）上記実施例では、棚板部材８８が上下方向に往復移動後、閉塞時間Ｔ１（例えば、２５秒である。）経過した後、ワープ入口７５を開放するように設定しているが、棚板部材８８が上下方向に往復移動後、最初にワープ入口７５が開放されるまでの閉塞時間に限りこの閉塞時間Ｔ１よりも短い時間（例えば、約１秒〜５秒で、望ましくは３秒である。）になるように設定してもよい。これにより、ワープ入口７５に遊技球が流入して棚板部材８８が連続して往復移動する可能性が高くなるため、遊技者の興趣をより増大させることができる。
【符号の説明】
【００３８】
１                  パチンコ機
１７                周囲壁部
１８                特別図柄表示装置
１９                液晶表示器
３１                始動口
４６                主基板
７１                表示用開口部
７２                凹み部
７３                保護カバー部
７５                ワープ入口
７６                ワープ通路
７７                開閉部材
７８                入口ソレノイド
８１                検出センサ
８５                駆動モータ
８８                棚板部材
８８Ａ〜８８Ｃ      貫通孔
９０                保護カバー
４６１、６６１      ＣＰＵ
４６２、６６２      ＲＯＭ
４６３、６６３      ＲＡＭ
【図１】
2010234086.tif 000003
【図２】
2010234086.tif 000004
【図３】
2010234086.tif 000005
【図４】
2010234086.tif 000006
【図５】
2010234086.tif 000007
【図６】
2010234086.tif 000008
【図７】
2010234086.tif 000009
【図８】
2010234086.tif 000010
【図９】
2010234086.tif 000011
【図１０】
2010234086.tif 000012
【図１１】
2010234086.tif 000013
【図１２】
2010234086.tif 000014
【図１３】
2010234086.tif 000015
【図１４】
2010234086.tif 000016